(57)【要約】【課題】レンズに装着可能で、レンズに対する異物の付着を防止可能なレンズ用送風装置を提供する。【解決手段】本発明のレンズ用送風装置１は、レンズ鏡筒２２の外側に配置可能な略円筒状の形状を有し、該円筒の円周に沿って内部空間３０が設けられるとともに、該内部空間３０を流れる空気を該円筒の一方の開口から外に向かう方向に送風するレンズ先端側開口３ａが設けられる円筒状送風部３と、カメラ２に取付ける取付部４３が一方に設けられ、他方において前記円筒状送風部３を保持する保持部４５が設けられるとともに、該円筒状送風部３の前記内部空間３０に空気を送り込む送風構造４６と長手方向に伸縮可能な伸縮構造とを有する台座部４と、を備え、前記円筒状送風部３の内側にレンズ鏡筒２２が位置するように前記台座部４をカメラ２に装着可能である。【選択図】図１
2012168457.tif 000002
【特許請求の範囲】
【請求項１】
レンズ鏡筒の外側に配置可能な略円筒状の形状を有し、該円筒の円周に沿って内部空間が設けられるとともに、該内部空間を流れる空気を該円筒の一方の開口から外に向かう方向に送風するレンズ先端側開口が設けられる円筒状送風部と、
カメラに取付ける取付部が一方に設けられ、他方において前記円筒状送風部を保持する保持部が設けられるとともに、該円筒状送風部の前記内部空間に空気を送り込む送風構造と長手方向に伸縮可能な伸縮構造とを有する台座部と、を備え、
前記円筒状送風部の内側にレンズ鏡筒が位置するように前記台座部をカメラに装着可能なレンズ用送風装置。
【請求項２】
請求項１に記載のレンズ用送風装置であって、
前記円筒状送風部は、空気の送風方向に向かって径が小さくなるように側面が傾斜した略円筒状の形状を有していることを特徴とするレンズ用送風装置。
【請求項３】
請求項１に記載のレンズ用送風装置であって、
前記円筒状送風部の送風方向において該円筒状送風部から離間して配置され、レンズ鏡筒の先端に装着可能な装着リングを備え、
該円筒状送風部と前記装着リングとの間は、前記送風方向に延びる延在部で連結され、前記レンズ鏡筒の伸縮による前記装着リングの軸方向の移動に伴って前記円筒状送風部は軸方向に移動し、該円筒状送風部の移動によって前記台座部が伸縮すること、
を特徴とするレンズ用送風装置。
【請求項４】
請求項３に記載のレンズ用送風装置であって、
前記装着リングは、
前記レンズ鏡筒に装着される第１リングと、
該第１リングの外側に配置される第２リングとを備え、
前記第１リングと前記第２リングとの間は、径方向に延びる複数の腕部で連結されていること、
を特徴とするレンズ用送風装置。
【請求項５】
請求項４に記載のレンズ用送風装置であって、
前記延在部は、前記円筒状送風部の前記小径側から前記第２リングへ送風される空気をレンズ鏡筒の先端に誘導すること、
を特徴とするレンズ用送風装置。
【請求項６】
請求項１から請求項４の何れか１項に記載のレンズ用送風装置であって、
前記取付部は、カメラの三脚取付用を介して、カメラに取付けられることを特徴とするレンズ用送風装置。
【発明の詳細な説明】
【技術分野】
【０００１】
本発明は、レンズ用送風装置に関するものである。
【背景技術】
【０００２】
従来、カメラを用いて雨天や水辺等で撮影する際、レンズに水滴等の異物が付着し、所望の品質の画像を撮影することができない場合がある。このため、レンズにワイパーを取り付け、ワイパーによりレンズに付着した水滴等の異物を除去する技術が提案されている（例えば、特許文献１参照）。
【先行技術文献】
【特許文献】
【０００３】
【特許文献１】特開２００３−２１９２３７号公報
【発明の概要】
【発明が解決しようとする課題】
【０００４】
しかし、特許文献１に記載の技術は、付着した異物を除去する技術であり、異物の付着を防止するものではない。また、撮影中はワイパーを動かすことができないという問題がある。
【０００５】
本発明の課題は、レンズに装着可能で、レンズに対する異物の付着を防止可能なレンズ用送風装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。符号を付して説明した構成は、適宜改良してもよく、また、少なくとも一部を他の構成物に代替してもよい。
請求項１に記載の発明は、レンズ鏡筒（２２）の外側に配置可能な略円筒状の形状を有し、該円筒の円周に沿って内部空間（３０）が設けられるとともに、該内部空間（３０）を流れる空気を該円筒の一方の開口（３ａ）から外に向かう方向に送風するレンズ先端側開口（３ａ）が設けられる円筒状送風部（３）と、カメラ（２）に取付ける取付部（４３）が一方に設けられ、他方において前記円筒状送風部（３）を保持する保持部（４５）が設けられるとともに、該円筒状送風部（３）の前記内部空間（３０）に空気を送り込む送風構造（４６）と長手方向に伸縮可能な伸縮構造とを有する台座部（４）と、を備え、前記円筒状送風部（３）の内側にレンズ鏡筒（２２）が位置するように前記台座部（４）をカメラ（２）に装着可能なレンズ用送風装置（１）である。
請求項２に記載の発明は、請求項１に記載のレンズ用送風装置（１）であって、前記円筒状送風部（３）は、空気の送風方向に向かって径が小さくなるように側面が傾斜した略円筒状の形状を有していることを特徴とするレンズ用送風装置（１）である。
請求項３に記載の発明は、請求項１に記載のレンズ用送風装置（１）であって、前記円筒状送風部（３）の送風方向において該円筒状送風部（３）から離間して配置され、レンズ鏡筒（２２）の先端に装着可能な装着リング（５）を備え、該円筒状送風部（３）と前記装着リング（５）との間は、前記送風方向に延びる延在部（６）で連結され、前記レンズ鏡筒（２２）の伸縮による前記装着リング（５）の軸方向の移動に伴って前記円筒状送風部（３）は軸方向に移動し、該円筒状送風部（３）の移動によって前記台座部（４）が伸縮すること、を特徴とするレンズ用送風装置（１）である。
請求項４に記載の発明は、請求項３に記載のレンズ用送風装置（１）であって、前記装着リング（５）は、前記レンズ鏡筒（２２）に装着される第１リング（５１）と、該第１リング（５１）の外側に配置される第２リング（５２）とを備え、前記第１リング（５１）と前記第２リング（５２）との間は、径方向に延びる複数の腕部（５３）で連結されていること、を特徴とするレンズ用送風装置（１）である。
請求項５に記載の発明は、請求項４に記載のレンズ用送風装置（１）であって、前記延在部（６）は、前記円筒状送風部（３）の前記小径側から前記第２リング（５２）へ送風される空気をレンズ鏡筒（２２）の先端に誘導すること、を特徴とするレンズ用送風装置（１）である。
請求項６に記載の発明は、請求項１から請求項４の何れか１項に記載のレンズ用送風装置（１）であって、前記取付部（４３）は、カメラ（２）の三脚取付用のねじ部（２３）を介して、カメラ（２）に取付けられることを特徴とするレンズ用送風装置（１）である。
【発明の効果】
【０００７】
本発明によれば、レンズに装着可能で、レンズに対する異物の付着を防止可能なレンズ用送風装置を提供することができる。
【図面の簡単な説明】
【０００８】
【図１】本発明の実施形態におけるレンズ用送風装置がカメラに取り付けられた状態を示す斜視図である。
【図２】本発明の実施形態におけるレンズ用送風装置の正面図である。
【図３】レンズ用送風装置の光軸に沿った方向の一部断面図である。
【発明を実施するための形態】
【０００９】
以下、図面等を参照して、本発明の実施形態について説明する。
図１は、本発明の実施形態におけるレンズ用送風装置１及びこのレンズ用送風装置１が取り付けられたカメラ２を示す斜視図である。図２は、レンズ用送風装置１の正面図（被写体側から見た図）である。
【００１０】
カメラ２は、カメラ本体２１と該カメラ本体２１に対して着脱可能なレンズ鏡筒２２とを備える。カメラ本体２１には、三脚を取り付けることができ、カメラ本体２１の底面部には三脚取付用のねじ孔２３が設けられている。
【００１１】
レンズ鏡筒２２は、複数のレンズ群を備えるズームレンズである。レンズ鏡筒２２の光軸Ａ方向の撮影者側の端部には、図示しないレンズマウントが設けられている。このレンズマウントは、カメラ本体２１の被写体側に設けられた図示しないカメラマウントに対して着脱可能となっている。レンズ鏡筒２２は、例えばズーミングに応じて光軸Ａ方向に伸縮可能である。レンズ鏡筒２２の被写体側の先端には、レンズにフィルタを取り付けるためのねじ溝２４が設けられている。
【００１２】
レンズ用送風装置１は、円筒状送風部３と、円筒状送風部３を保持する台座部４と、円筒状送風部３から延びる延在部６と、該延在部６に着脱可能に取り付けられるとともにレンズ鏡筒２２のねじ溝２４に装着可能な装着リング５と、を備える。
【００１３】
台座部４は、光軸Ａに対して垂直な断面において、互いに相似形で大きさの異なる角筒体を入れ子状に組み合わせた形状を有する。最も大きい角筒体は、カメラ２に固定される本体部４１である。本体部４１内部には円筒状送風部３に空気を供給する送風構造４６が設けられている。本体部４１の撮影者側面には、送風構造４６を作動させるスイッチ４２が設けられている。
【００１４】
本体部４１には、カメラに取り付けるための取付部４３が設けられている。取付部４３は、開口部４３ａと、その開口部４３ａを貫通してカメラ２の三脚取付用のねじ孔２３に螺合可能なねじ４３ｂと、を備える。
円筒状送風部３をカメラ２の外周に装着し、カメラ２の三脚取付用のねじ孔２３と取付部４３の開口部４３ａの中心軸を一致させる。そして、ねじ４３ｂをねじ孔２３に螺合させることにより、円筒状送風部３はカメラ２に固定される。
【００１５】
送風構造４６は、周囲から空気を取り込み、その取り込んだ空気を円筒状送風部３に供給するものである。撮影者がスイッチ４２をオンオフ操作することで送風構造４６が作動／停止する。
【００１６】
円筒状送風部３は、概略形状として、円錐の側面を中心軸線と垂直な２つの面で切断したような形状であり、カメラ側開口３２からレンズ先端側開口３３に向かう方向に径が小さくなるように、その斜面が傾斜している。すなわち、円筒状送風部３におけるレンズ先端側開口３３は、カメラ側開口３２よりも径が小さい。円筒状送風部３におけるこの斜面の光軸Ａに対する傾斜の角度は、後述するように円筒状送風部３より送風される空気の流れが、カメラ側からレンズ側に流れる際に、レンズ鏡筒２２の先端に近づく方向に流れるように調整される。すなわち、気流がレンズの先端部に向かうように調整される。
【００１７】
図３は、レンズ用送風装置１の光軸Ａに沿った方向の一部断面図である。円筒状送風部３の側面の形状をより詳細に説明すると、該側面は、壁部３４で囲まれた中空の内部空間３０を有している。その壁部３４におけるカメラ側開口３２の内側には、周方向にスリット３ａが設けられ、送風機構からレンズ用送風装置１の内部空間３０に送られた空気は、該スリット３ａから外部に流出される。流出された空気は、円筒状送風部３の壁部３４の内側の面及び延在部６に案内され、図３において矢印Ｆで示すようにレンズ鏡筒２２の先端付近に集中するように流れる。
【００１８】
図１に戻り、台座部４において本体部４１から延びる角筒部のうちの最小断面を有する先端角筒部４４には、円筒状送風部３を保持する保持部４５が設けられている。保持部４５には、円筒状送風部３が、台座部４の長手方向に対して直交しかつ円筒状送風部３の径方向に延びる軸線Ｂを中心として、図中Ｃで示す方向に回転可能に保持されている。
【００１９】
次に、装着リング５について説明する。装着リング５は、円筒状送風部３の軸線方向先端側に離間して配置される。また、円筒状送風部３から延びる延在部６に対して着脱可能となっている。装着リング５は、レンズ鏡筒２２の先端に装着される第１リング５１と、第１リング５１の外側に配置される第２リング５２と、を備える。第１リング５１と第２リング５２とは、図２に示すように、レンズ鏡筒２２の光軸Ａに対して直交する同一平面上に配置される。
【００２０】
第１リング５１は、レンズ鏡筒２２に設けられたフィルタ取り付け用のねじ溝２４に螺合する径のねじ部５１ａが設けられている。第２リング５２は、第１リング５１よりも径が大きく、円筒状送風部３よりも径が小さい。第２リング５２と、第１リング５１との間には複数の腕部５３が架け渡されている。
そして、第１リング５１、第２リング５２及び腕部５３を有する装着リング５は、レンズ鏡筒２２の先端のねじ溝２４に第１リング５１のねじ部５１ａを螺合させることにより、レンズ鏡筒２２に装着可能である。
【００２１】
また、装着リングの第２リング５２と、円筒状送風部３との間には、延在部６が延びている。延在部６は、円筒状送風部３のレンズ先端側開口３３から第２リング５２まで延びる板状部材である。延在部６は、円筒状送風部３から第２リング５２に向かって、例えば３枚、等間隔で設けられている。隣接する延在部６と延在部６の間は、十分な隙間が設けられている。撮影者は、その隙間からレンズ鏡筒２２に振れることが可能で、レンズ鏡筒２２のズーム操作が可能である。また、延在部６の長さは、円筒状送風部３から流れる空気が、レンズ鏡筒２２の先端において最適な流れとなるような長さとなっている。延在部６の先端は湾曲しており、その湾曲部に第２リング５２をはめ込むことにより、第２リング５２を延在部６に取り付けることが出来るようになっている。延在部６は、ばね性を有する材料で製造され、第２リング５２の径が異なる場合にもはめ込むことができるようになっている。
【００２２】
次に、レンズ用送風装置１の装着方法について説明する。
まず、装着リング５が取り外された状態で、円筒状送風部３をレンズ鏡筒２２の外周に配置する。そして、カメラ２のねじ孔２３と取付部４３の開口部４３ａとの中心を一致させ、ねじ４３ｂをねじ孔２３に螺合させる。これにより、円筒状送風部３はカメラ２に固定される。
【００２３】
装着リング５は、レンズ鏡筒２２の先端のレンズ径に合わせて複数用意されている。使用者は、使用されるレンズ径に合った装着リング５を選択する。そして、装着リング５の第１リング５１を、レンズ鏡筒２２の先端に設けられた溝２３に螺合する。
次に、延在部６の先端の湾曲部に第２リング５２をはめ込むことにより、第２リング５２と延在部６とは連結される。延在部６は、ばね性を有する材料で製造されているため、装着リング５の径（すなわち、第２リング５２の径）が異なるものであっても、取付可能である。
【００２４】
ここで、装着リング５と円筒状送風部３との間の距離が、延在部６の長さと一致しない場合、台座部４の入れ子状の角筒を伸縮させて、台座部４の本体部４１と保持部４５との間の距離を調節する。そして、装着リング５と円筒状送風部３との間の距離を延在部６の長さと一致させて、延在部６と装着リング５（第２リング５２）とを連結される。
【００２５】
本実施形態によると、このように台座部４が伸縮するので、長さの異なるレンズ鏡筒２２においても円筒状送風部３とレンズ鏡筒２２の先端との距離を一定に保つことができ、レンズ鏡筒２２の先端において最適な風力を得ることができる。
【００２６】
例えば、水しぶきが存在する環境や、埃等の塵埃が多く存在する環境で写真撮影を行う場合、水滴や塵埃がレンズに付着する可能性がある。このような場合、撮影者はスイッチ４２を押して送風機構を作動させる。
そうすると、送風機構により円筒状送風部３に空気が送られ、円筒状送風部３のスリット３ａから送風される。
この風はレンズ鏡筒２２の外周と円筒状送風部３の間を流れる。この際、空気の流れは壁部３４の内面形状によりガイドされ、図３における矢印Ｆの方向Ｆに沿って、風は第１リング５１と第２リング５２との間を通ってレンズの先に向かって流れる。この流れにより、レンズ鏡筒２２の先端のレンズに近づくように浮遊してくる水滴や塵埃等を吹き飛ばすことができる。
【００２７】
また、円筒状送風部３とレンズ鏡筒２２の先端に装着された第１リング５１の外側に配置される第２リング５２との間には板状の延在部６が延びている。この延在部６は、円筒状送風部３の小径側から第２リング５２へ送風される空気をレンズ鏡筒２２の先端に誘導する。
したがって、空気の流れは、レンズ鏡筒２２の先端部に集中し、レンズ鏡筒２２の先端部において流れる空気の量が最大となり、より良好に水滴や塵埃のレンズへの付着が防止される。
【００２８】
レンズ鏡筒２２のズームミングが行われると、レンズ鏡筒２２の先端も光軸Ａ方向に伸縮する。この際、レンズ鏡筒２２の先端に取り付けられた装着リング５も移動する。この場合、本実施形態によると延在部６を介して円筒状送風部３も引っ張られるが、台座部４が伸縮するので、台座部４の本体部４１はカメラ２に固定されたままで円筒状送風部３は移動可能である。
【００２９】
なお、レンズ用送風装置１を装着するカメラ２によっては、三脚取付用のねじ孔２３が、カメラ２の幅方向中央に設けられていない場合がある。このような場合、台座部４を必ずしもレンズ鏡筒２２の延びる方向に平行して伸ばすことができないことがある。
【００３０】
しかし、本実施形態では、円筒状送風部３が、台座部４の長手方向に対して直交しかつ円筒状送風部３の径方向に延びる軸線Ｂを中心として、回転可能に保持されている。したがって、台座部４が、取付部４３から保持部４５まで、レンズ鏡筒２２の延びる方向に対して斜めに延びたとしても、保持部４５で円筒状送風部３の角度を変えることにより、円筒状送風部３をレンズ鏡筒２２の延びる方向に沿うように取り付けることができる。  
【００３１】
（変形形態）
以上、説明した実施形態に限定されることなく、以下に示すような種々の変形や変更が可能であり、それらも本発明の範囲内である。
（１）例えば、本実施形態では、延在部６と装着リング５とを着脱可能としたが、本発明はこれに限定されず、延在部６と装着リング５とを固定し、延在部６と円筒状送風部３とを着脱可能としても良い。また、装着リング５において第１リング５１と第２リング５２とを着脱可能としても良い。
（２）台座部４の伸縮構造も入れ子形状に限定されず、例えば蛇腹構造等であってもよい。
なお、実施形態及び変形形態は、適宜組み合わせて用いることもできるが、詳細な説明は省略する。また、本発明は以上説明した実施形態によって限定されることはない。
【符号の説明】
【００３２】
１：レンズ用送風装置、２：カメラ、３：円筒状送風部、３ａ：スリット、４：台座部、５：装着リング、６：延在部、２２：レンズ鏡筒、３０：内部空間、４３：取付部、４５：保持部、４６：送風構造、５１：第１リング、５２：第２リング
【図１】
2012168457.tif 000003
【図２】
2012168457.tif 000004
【図３】
2012168457.tif 000005